(57)【要約】【課題】通話装置を用いて訪問者に応対するか否かをユーザに判断させることができる。【解決手段】インターホン親機２０は、呼出通知に従って、通話装置３０を呼び出すための呼出要求を、映像音声転送装置４０を介して全ての通話装置３０に送信する。通話装置３０は、呼出要求に対する暫定応答を映像音声転送装置４０に送信する。映像音声転送装置４０は、インターホン親機２０に、ドアホン子機１０により取得された映像信号及び音声信号の送信を開始させる。通話装置３０は、映像音声転送装置４０から送信された映像信号及び音声信号を出力して、呼出者により呼出操作がなされたことを報知し、ユーザによる応答操作に応じて、ドアホン子機１０からの呼を確立するための確立要求を、映像音声転送装置４０に送信する。映像音声転送装置４０は、ある通話装置３０から確立要求を受信した場合、通話装置３０とドアホン子機１０との呼を確立する。【選択図】図１
2009303177.tif 000002
【特許請求の範囲】
【請求項１】
インターホン親機と、映像信号及び音声信号を取得するドアホン子機と、映像音声転送装置と、通話装置とが所定の通信路を介して接続されたインターホンシステムの呼制御方法であって、
前記ドアホン子機が、呼出者による呼出操作を受け付けたことを示す呼出通知を前記インターホン親機に送信する呼出通知ステップと、
前記インターホン親機が、前記呼出通知に従って、前記通話装置を呼び出すための呼出要求を、前記映像音声転送装置を介して全ての通話装置に送信する呼出要求ステップと、
前記通話装置が、前記呼出要求に対する暫定応答を前記映像音声転送装置に送信する暫定応答ステップと、
前記映像音声転送装置が、前記暫定応答を受信した場合、前記インターホン親機に、前記ドアホン子機により取得された映像信号及び音声信号の送信を開始させ、前記インターホン親機から送信された映像信号及び音声信号を全ての通話装置に転送する映像音声転送ステップと、
前記通話装置が、前記映像音声転送装置から送信された映像信号及び音声信号を出力して、呼出者により前記呼出操作がなされたことを報知する報知ステップと、
前記通話装置が、前記ユーザによる応答操作に応じて、前記ドアホン子機からの呼を確立するための確立要求を、前記映像音声転送装置に送信する確立要求ステップと、
前記映像音声転送装置が、ある通話装置から前記確立要求を受信した場合、当該通話装置と前記ドアホン子機との呼を確立する呼確立ステップとを備えることを特徴とする呼制御方法。
【請求項２】
前記映像音声転送ステップは、前記映像信号及び音声信号を全ての通話装置にマルチキャストで転送することを特徴とする請求項１記載の呼制御方法。
【請求項３】
前記映像音声転送ステップは、少なくとも１台の通話装置から前記暫定応答を受信した場合、前記インターホン親機に映像信号及び音声信号の送信を開始させることを特徴とする請求項１又は２記載の呼制御方法。
【請求項４】
前記インターホン親機に前記通信路を介して接続されたインターホン副親機を更に備え、
前記呼確立ステップは、前記インターホン親機又はインターホン副親機が、前記ドアホン子機からの呼び出しに対して応答した場合、全ての通話装置にそのことを通知し、前記通話装置と前記ドアホン子機との呼の切断処理を行うことを特徴とする請求項１〜３のいずれかに記載の呼制御方法。
【請求項５】
前記インターホン親機に前記通信路を介して接続されたインターホン副親機を更に備え、
前記呼確立ステップは、前記ドアホン子機が前記呼出通知を送信してから所定のタイムアウト時間が経過するまでに、前記インターホン親機又は前記インターホン副親機と、前記ドアホン子機との間で呼が確立されなかった場合、全ての通話装置にそのことを通知し、前記通話装置と前記ドアホン子機との呼の切断処理を行うことを特徴とする請求項１〜４のいずれかに記載の呼制御方法。
【請求項６】
前記通話装置が、前記ユーザによる呼の切断操作に応じて、呼を切断するための切断要求を前記映像音声転送装置に送信する切断要求ステップを更に備え、
前記呼確立ステップは、ある通話装置から前記切断要求が送信された場合、前記通話装置と前記ドアホン子機との呼の切断処理を行うことを特徴とする請求項１〜５のいずれかに記載の呼制御方法。
【請求項７】
前記ドアホン子機、又は映像信号及び音声信号を取得する専用の装置により構成され、前記通信路を介して接続された監視装置を更に備え、
前記通話装置が、ユーザの監視操作に応じて、ある監視装置から映像信号及び音声信号を送信させるための監視要求を前記映像音声転送装置に送信する監視要求ステップと、
前記映像音声転送装置が、ある通話装置から前記監視要求が送信された場合、当該通話装置と、該当する監視装置との間の呼を確立し、呼を確立した監視装置により取得された映像信号及び音声信号を呼を確立した通話装置に送信する監視確立ステップとを更に備えることを特徴とする請求項１〜６のいずれかに記載の呼制御方法。
【請求項８】
前記インターホン親機に前記通信路を介して接続されたインターホン副親機を更に備え、
前記監視確立ステップは、前記監視要求が送信された場合、前記インターホン親機又は前記インターホン副親機と、前記監視装置との間で既に呼が確立されている場合、全ての通話装置にそのことを通知し、前記通話装置と前記監視装置との呼の切断処理を行うことを特徴とする請求項７記載の呼制御方法。
【請求項９】
インターホン親機と、映像信号及び音声信号を取得するドアホン子機と、映像音声転送装置と、通話装置とが所定の通信路を介して接続されたインターホンシステムであって、
前記ドアホン子機は、呼出通知手段を備え、
前記インターホン親機は、呼出要求手段を備え、
前記通話装置は、暫定応答手段と報知手段と確立要求手段とを備え、
前記映像音声転送装置は、映像音声転送手段と呼確立手段とを備え、
前記呼出通知手段は、呼出者による呼出操作を受け付けたことを示す呼出通知を前記インターホン親機に送信し、
前記呼出要求手段は、前記呼出通知に従って、前記通話装置を呼び出すための呼出要求を、前記映像音声転送装置を介して全ての通話装置に送信し、
前記暫定応答手段は、前記呼出要求に対する暫定応答を前記映像音声転送装置に送信し、
前記映像音声転送手段は、前記暫定応答を受信した場合、前記インターホン親機に、前記ドアホン子機により取得された映像信号及び音声信号の送信を開始させ、前記インターホン親機から送信された映像信号及び音声信号を全ての通話装置に転送し、
前記報知手段は、前記映像音声転送装置から送信された映像信号及び音声信号を出力して、呼出者により呼出操作がなされたことを報知し、
前記確立要求手段は、前記ユーザによる応答操作に応じて、前記ドアホン子機からの呼を確立するための確立要求を、前記映像音声転送装置に送信し、
前記呼確立手段は、ある通話装置から前記確立要求を受信した場合、当該通話装置と前記ドアホン子機との間の呼を確立することを特徴とするインターホンシステム。
【発明の詳細な説明】
【技術分野】
【０００１】
本発明は、インターホン親機と、映像信号及び音声信号を取得するドアホン子機と、映像音声転送装置と、通話装置とが所定の通信路を介して接続されたインターホンシステムに関するものである。
【背景技術】
【０００２】
従来より、玄関先などの住戸外に設置されたドアホン子機と、住戸内に設置されたインターホン親機とが専用の通信線を介して接続されたインターホンシステムが知られている。このようなインターホンシステムにおいて、ドアホン子機は、呼出者により呼出ボタン等が押されると、カメラ及びマイクにより呼出者の映像信号及び音声信号を取得し、専用の通信線を介してインターホン親機に送信する。そして、インターホン親機は、ドアホン子機から送信された映像信号及び音声信号をモニタ装置及びスピーカに出力する。そして、ユーザがインターホン親機の受話器を上げる等すると、インターホン親機とドアホン子機との呼が確立される。
【０００３】
また、特許文献１には、上記インターホンシステムに後付け可能な録画転送コントローラが開示されている。具体的には、ドアホン子機により取得された訪問者の映像信号及び音声信号を録画し、外部ネットワーク経由で、センターサーバに転送し、センターサーバに蓄積させる。そして、ユーザが所持する携帯電話及びパソコン等の通話装置から、センターサーバに蓄積された映像信号及び音声信号を転送するための指示が行われると、センターサーバは、蓄積した映像信号及び音声信号を通話装置に送信する。これにより、ユーザは外出先又は帰宅後に訪問者を知ることが可能となる。
【０００４】
ところで、従来のインターホンシステムにおいては、訪問者が呼出ボタンを押した際、ドアホン子機により取得された訪問者の映像信号及び音声信号がインターホン親機から出力されていたため、ユーザは出力される映像信号及び音声信号に基づいて、訪問者に応対するか否かを判断することが可能である。
【特許文献１】特開２００７−２３５６０４号公報
【発明の開示】
【発明が解決しようとする課題】
【０００５】
しかしながら、特許文献１に示す技術では、訪問者の訪問時にドアホン子機により取得された映像信号及び音声信号が通話装置から出力されないため、訪問者が訪問した際に、ユーザは通話装置を用いて訪問者に応対するか否かを判断することができないという問題があった。
【０００６】
本発明の目的は、通話装置を用いて訪問者に応対するか否かをユーザに判断させることができる呼制御方法及びインターホンシステムを提供することである。
【課題を解決するための手段】
【０００７】
（１）本発明による呼制御方法は、インターホン親機と、映像信号及び音声信号を取得するドアホン子機と、映像音声転送装置と、通話装置とが所定の通信路を介して接続されたインターホンシステムの呼制御方法であって、前記ドアホン子機が、呼出者による呼出操作を受け付けたことを示す呼出通知を前記インターホン親機に送信する呼出通知ステップと、前記インターホン親機が、前記呼出通知に従って、前記通話装置を呼び出すための呼出要求を、前記映像音声転送装置を介して全ての通話装置に送信する呼出要求ステップと、前記通話装置が、前記呼出要求に対する暫定応答を前記映像音声転送装置に送信する暫定応答ステップと、前記映像音声転送装置が、前記暫定応答を受信した場合、前記インターホン親機に、前記ドアホン子機により取得された映像信号及び音声信号の送信を開始させ、前記インターホン親機から送信された映像信号及び音声信号を全ての通話装置に転送する映像音声転送ステップと、前記通話装置が、前記映像音声転送装置から送信された映像信号及び音声信号を出力して、呼出者により前記呼出操作がなされたことを報知する報知ステップと、前記通話装置が、前記ユーザによる応答操作に応じて、前記ドアホン子機からの呼を確立するための確立要求を、前記映像音声転送装置に送信する確立要求ステップと、前記映像音声転送装置が、ある通話装置から前記確立要求を受信した場合、当該通話装置と前記ドアホン子機との呼を確立する呼確立ステップとを備えることを特徴とする。
【０００８】
この構成によれば、ドアホン子機により呼出者による呼出操作が受け付けられると、映像音声転送装置は、ドアホン子機により取得された映像信号及び音声信号が通話装置に転送する。そして、通話装置は映像信号及び音声信号を受信して、呼出者により呼出操作が行われたことをユーザに報知する。そして、ユーザが通話装置に応答操作を行うと、映像音声転送装置は、通話装置と、ドアホン子機との呼を確立する。
【０００９】
そのため、ユーザは、通話装置を用いて訪問者に応対するか否かを判断することができる。また、呼の確立前に、映像信号及び音声信号が通話装置から出力されるため、通話装置を用いた場合においても、従来のインターホンシステムと同様の操作感により、ユーザは呼出者と通話することができる。
【００１０】
（２）前記映像音声転送ステップは、前記映像信号及び音声信号を全ての通話装置にマルチキャストで転送することが好ましい。
【００１１】
この構成によれば、映像信号及び音声信号がマルチキャストで送信されるため、通話装置が複数台存在する場合であっても、通信トラフィックの増大を最小限に抑えることができる。
【００１２】
（３）前記映像音声転送ステップは、少なくとも１台の通話装置から前記暫定応答を受信した場合、前記インターホン親機に映像信号及び音声信号の送信を開始させることが好ましい。
【００１３】
この構成によれば、一部の通話装置に異常が発生していても、残りの正常な通話装置に対して映像信号及び音声信号を送信することができる。
【００１４】
（４）前記インターホン親機に前記通信路を介して接続されたインターホン副親機を更に備え、前記呼確立ステップは、前記インターホン親機又はインターホン副親機が、ドアホン子機からの呼び出しに対して応答した場合、全ての通話装置にそのことを通知し、前記通話装置と前記ドアホン子機との呼の切断処理を行うが好ましい。
【００１５】
この構成によれば、映像音声転送装置がインターホン親機又はインターホン副親機と、ドアホン子機とからなる既存のインターホンシステムにおける使用状態を定期的に把握する処理を行わなくても、既存のインターホンシステム側の状態を知ることができる。また、必要に応じて呼の切断処理が行われるため、不要な通信の発生を抑制することができる。
【００１６】
（５）前記インターホン親機に前記通信路を介して接続されたインターホン副親機を更に備え、前記呼確立ステップは、前記ドアホン子機が前記呼出通知を送信してから所定のタイムアウト時間が経過するまでに、前記インターホン親機又は前記インターホン副親機と、前記ドアホン子機との間で呼が確立されなかった場合、全ての通話装置にそのことを通知し、前記通話装置と前記ドアホン子機との呼の切断処理を行うことが好ましい。
【００１７】
この構成によれば、映像音声転送装置が既存のインターホンシステムにおける使用状態を定期的に把握する処理を行わなくても、既存のインターホンシステム側の状態を知ることができる。また、必要に応じて呼の切断処理が行われるため、不要な通信の発生を抑制することができる。
【００１８】
（６）前記通話装置が、前記ユーザによる呼の切断操作に応じて、呼を切断するための切断要求を前記映像音声転送装置に送信する切断要求ステップを更に備え、前記呼確立ステップは、ある通話装置から前記切断要求が送信された場合、前記通話装置と前記ドアホン子機との呼の切断処理を行うことが好ましい。
【００１９】
この構成によれば、ある通話装置から呼を切断するために送信された切断要求をトリガとして、ドアホン子機と全ての通話装置との呼の切断処理が実行されるため、ユーザの意思に応じて速やかに呼を切断させることができ、不要な通信の発生を抑制することができる。
【００２０】
（７）前記ドアホン子機、又は映像信号及び音声信号を取得する専用の装置により構成され、前記通信路を介して接続された監視装置を更に備え、前記通話装置が、ユーザの監視操作に応じて、ある監視装置から映像信号及び音声信号を送信させるための監視要求を前記映像音声転送装置に送信する監視要求ステップと、前記映像音声転送装置が、ある通話装置から前記監視要求が送信された場合、当該通話装置と、該当する監視装置との間の呼を確立し、呼を確立した監視装置により取得された映像信号及び音声信号を呼を確立した通話装置に送信する監視確立ステップとを更に備えることが好ましい。
【００２１】
この構成によれば、ユーザは、通話装置を用いてある監視装置により取得された映像信号及び音声信号を認識することができる。
【００２２】
（８）前記インターホン親機に前記通信路を介して接続されたインターホン副親機を更に備え、前記監視確立ステップは、前記監視要求が送信された場合、前記インターホン親機又は前記インターホン副親機と、前記監視装置との間で既に呼が確立されている場合、全ての通話装置にそのことを通知し、前記通話装置と前記監視装置との呼の切断処理を行うことが好ましい。
【００２３】
この構成によれば、ユーザが監視装置により取得された映像信号及び音声信号を通話装置に出力させようとした際に、既存のインターホンシステム側で既に呼が確立されていた場合、そのことが通話装置に通知されるため、通話装置が既存のインターホンシステムが使用中であることを認識することができる。
【００２４】
（９）本発明によるインターホンシステムは、インターホン親機と、映像信号及び音声信号を取得するドアホン子機と、映像音声転送装置と、通話装置とが所定の通信路を介して接続されたインターホンシステムであって、前記ドアホン子機は、呼出通知手段を備え、前記インターホン親機は、呼出要求手段を備え、前記通話装置は、暫定応答手段と報知手段と確立要求手段とを備え、前記映像音声転送装置は、映像音声転送手段と呼確立手段を備え、前記呼出通知手段は、呼出者による呼出操作を受け付けたことを示す呼出通知を前記インターホン親機に送信し、前記呼出要求手段は、前記呼出通知に従って、前記通話装置を呼び出すための呼出要求を、前記映像音声転送装置を介して全ての通話装置に送信し、前記暫定応答手段は、前記呼出要求に対する暫定応答を前記映像音声転送装置に送信し、前記映像音声転送手段は、前記暫定応答を受信した場合、前記インターホン親機に、前記ドアホン子機により取得された映像信号及び音声信号の送信を開始させ、前記インターホン親機から送信された映像信号及び音声信号を全ての通話装置に転送し、前記報知手段は、前記映像音声転送装置から送信された映像信号及び音声信号を出力して、呼出者により呼出操作がなされたことを報知し、前記確立要求手段は、前記ユーザによる応答操作に応じて、前記ドアホン子機からの呼を確立するための確立要求を、前記映像音声転送装置に送信し、前記呼確立手段は、ある通話装置から前記確立要求を受信した場合、当該通話装置と前記ドアホン子機との間の呼を確立することを特徴とする。
【発明の効果】
【００２５】
本発明によれば、ユーザは、通話装置を用いて訪問者に応対するか否かを判断することができる。また、呼の確立前に、映像信号及び音声信号が通話装置から出力されるため、通話装置を用いた場合においても、従来のインターホンシステムと同様の操作感により、ユーザは訪問者と通話することができる。
【発明を実施するための最良の形態】
【００２６】
（実施の形態１）
以下、本発明の実施の形態１によるインターホンシステムについて説明する。図１は、実施の形態１によるインターホンシステムの全体構成図を示している。本インターホンシステムは、例えば一戸建て住宅のインターホンシステムに適用され、ドアホン子機１０−１，１０−２、インターホン親機２０、通話装置３０−１，３０−２、映像音声転送装置４０、インターホン副親機５０−１，５０−２、及びハブ６０を備えている。
【００２７】
以下の説明において、ドアホン子機を総称する場合はドアホン子機に１０の符号を付し、通話装置を総称する場合は通話装置に３０の符号を付し、インターホン副親機を総称する場合はインターホン副親機に５０の符号を付す。
【００２８】
また、図１においては、２台のドアホン子機１０を示したが、本発明はこれに限定されず、ｎ（ｎは１以上の整数）台のドアホン子機１０−１〜１０−ｎを接続してもよい。また、図１においては、２台の通話装置３０を示したが、本発明はこれに限定されず、ｍ（ｍは１以上の整数）台の通話装置３０−１〜３０−ｍを接続してもよい。また、図１においては、２台のインターホン副親機５０を示したが、本発明はこれに限定されず、ｌ（ｌは１以上の整数）台のインターホン副親機５０−１〜５０−ｌを接続してもよい。
【００２９】
通話装置３０−１，３０−２、及び映像音声転送装置４０はそれぞれ通信路Ｍ１を介してハブ６０に接続されている。また、映像音声転送装置４０には通信路Ｍ２を介してインターホン親機２０が接続されている。インターホン親機２０には、通信路Ｍ２を介してインターホン副親機５０−１，５０−２が縦列接続され、かつ、通信路Ｍ２を介してドアホン子機１０−１，１０−２が縦列接続されている。
【００３０】
ドアホン子機１０は、例えば、住宅の玄関等の屋外に設置されたカメラ付きドアホンにより構成されている。インターホン親機２０は、例えば住宅の屋内のリビングルーム等に設置された表示装置付きインターホンにより構成されている。インターホン副親機５０は、例えば住宅の屋内のリビングルーム以外の部屋や廊下等に設置された表示装置付きインターホンにより構成されている。
【００３１】
通話装置３０は、例えば住宅の屋内の部屋に設置されたパソコン等により構成されている。なお、通話装置３０を無線通信可能な通話装置により構成してもよい。ハブ６０及び映像音声転送装置４０は、例えば住宅の屋内に設置されている。
【００３２】
通信路Ｍ１としては、例えばイーサネット（登録商標）を使用することができる。また、通信路Ｍ２としては、例えば例えば無極性の信号線２線による２線多重伝送方式の伝送路であるエヌマスト（登録商標）を採用することができる。但し、これらは一例であり、通信路Ｍ１として、信号線２線による２線多重伝送方式の伝送路を採用してもよいし、通信路Ｍ２として、イーサネット（登録商標）を採用してもよい。
【００３３】
なお、通話装置３０及び映像音声転送装置４０は、例えばＩＰ電話の通信プロトコルであるＳＩＰ（Session Initiation Protocol）により通信を行う。映像音声転送装置４０、インターホン親機２０、インターホン副親機５０、及びドアホン子機１０は、従来のインターホン用の通信プロトコルを用いて通信を行う既存のインターホンシステムである。
【００３４】
また、図１に示す各装置は、固有の通信アドレスを有しており、各装置は、通信対象の装置の通信アドレスを指定することで、他の装置と通信することができる。
【００３５】
図２は、図１に示すドアホン子機１０のブロック図を示している。図２に示すようにドアホン子機１０は、制御部１１、マイク１２、スピーカ１３、通信部１４、カメラ１５、及び操作部１６を備えている。制御部１１は、例えばＣＰＵにより構成され、ドアホン子機１０の全体制御を司り、特に本実施の形態では、呼出通知部１１１及び映像音声送信部１１２を備えている。
【００３６】
呼出通知部１１１は、ドアホン子機１０が、呼出者による呼出操作を受け付けたことを示す呼出通知を生成し、インターホン親機２０に送信する。具体的には、呼出通知部１１１は、呼出者により操作部１６の呼出ボタンが押された場合、呼出通知を生成する。
【００３７】
映像音声送信部１１２は、マイク１２及びカメラ１５により取得された音声信号及び映像信号を送信する。
【００３８】
マイク１２は、呼出者の音声を音声信号に変換し、制御部１１に渡す。スピーカ１３は通信部１４により受信された音声信号を音声に変換して出力する。
【００３９】
通信部１４は、制御部１１から渡された種々のデータ（音声信号、映像信号、及び呼出通知等）を送信するための通信信号を生成し、通信路Ｍ１に出力すると共に、自己宛に送信された通信信号を取り込んで制御部１１に渡す。
【００４０】
カメラ１５は、例えばＣＣＤイメージセンサ又はＣＭＯＳイメージセンサ等を備え、所定のフレームレートで呼出者を撮影し、映像信号を取得する。操作部１６は、例えば呼出ボタンやモニタボタン等を含み、呼出者の操作指令を受け付ける。
【００４１】
図３は、インターホン親機２０のブロック図である。インターホン親機２０は、制御部２１、マイク２２、スピーカ２３、通信部２４、表示部２５、及び操作部２６を備える。制御部２１は、インターホン親機２０の全体制御を司り、本実施の形態では、特に呼出要求部２１１及び音声送信部２１２を備える。
【００４２】
呼出要求部２１１は、インターホン親機２０から送信された呼出通知を受信した場合、通話装置３０を呼び出すための呼出要求を生成し、映像音声転送装置４０を介して全ての通話装置３０に送信する。
【００４３】
音声送信部２１２は、マイク２２により取得された音声信号を送信する。マイク２２は、音声を音声信号に変換し、制御部２１に渡す。スピーカ２３は、通信部２４により受信された音声信号を音声に変換して出力する。
【００４４】
通信部２４は、制御部２１から渡された種々のデータ（呼出要求、映像信号、及び音声信号等）を送信するための通信信号を生成して、通信路Ｍ１に出力すると共に、自己宛に送信された通信信号を取り込んで制御部２１に渡す。
【００４５】
表示部２５は、例えば液晶表示パネルや有機ＥＬパネルにより構成され、通信部２４により受信された映像信号を表示する。操作部２６は、例えばテンキーを含み、ユーザによる種々の操作指令を受け付ける。
【００４６】
図４は、図１に示す通話装置３０のブロック図を示している。通話装置３０は、制御部３１、マイク３２、スピーカ３３、通信部３４、表示部３５、及び操作部３６を備えている。制御部３１は、通話装置３０の全体制御を司り、暫定応答部３１１、報知制御部３１２、及び確立要求部３１３を備えている。
【００４７】
暫定応答部３１１は、インターホン親機２０により送信された呼出要求を受信した場合、受信した呼出要求に対する暫定応答を生成し、映像音声転送装置４０に送信する。
【００４８】
報知制御部３１２は、映像音声転送装置４０から送信された映像信号及び音声信号を表示部３５及びスピーカ３３に出力させて、呼出者により呼出操作がなされたことをユーザに報知する。
【００４９】
確立要求部３１３は、操作部３６がユーザによる応答操作を受け付けた場合、ドアホン子機１０との通話を開始するための確立要求を、映像音声転送装置４０に送信する。
【００５０】
マイク３２は、音声を音声信号に変換し、制御部３１に渡す。スピーカ３３は、通信部３４により受信された音声信号を音声に変換して出力する。
【００５１】
表示部３５は、例えば液晶表示パネルや有機ＥＬパネルにより構成され、通信部３４により受信された映像信号を表示する。操作部３６は、キーボード、及びテンキー等を含み、ユーザからの種々の操作指令を受け付ける。
【００５２】
図５は、図１に示す映像音声転送装置４０のブロック図を示している。映像音声転送装置４０は、制御部４１及び通信部４２を備えている。制御部４１は、例えばＣＰＵから構成され、映像音声転送装置４０の全体制御を司り、本実施の形態では、特に映像音声転送部４１１、及び呼確立部４１２を備えている。
【００５３】
映像音声転送部４１１は、通話装置３０から送信された暫定応答を受信した場合、インターホン親機２０に、ドアホン子機１０により取得された映像信号及び音声信号の送信を開始させ、インターホン親機２０から送信された映像信号及び音声信号を全ての通話装置３０に転送する。ここで、映像音声転送部４１１は、映像信号及び音声信号をマルチキャストで転送することが好ましい。これにより、通話装置３０が複数台存在する場合であっても、通信トラフィックの増大を最小限に抑えることができる。
【００５４】
更に、この場合、映像音声転送部４１１は、少なくとも１台の通話装置３０から暫定応答を受信した場合、インターホン親機２０に映像信号及び音声信号の送信を開始させることが好ましい。これにより、一部の通話装置３０に異常が発生していても、残りの正常な通話装置３０に対して映像信号及び音声信号を送信することができる。
【００５５】
呼確立部４１２は、ある通話装置３０から確立要求を受信した場合、当該通話装置３０とドアホン子機１０との呼を確立する処理を行う。
【００５６】
ここで、呼確立部４１２は、インターホン親機２０又はインターホン副親機５０と、ドアホン子機１０との間で既に呼が確立されている場合、全ての通話装置３０にそのことを通知し、ドアホン子機１０と通話装置３０との間の呼の切断処理を行うことが好ましい。
【００５７】
更に、呼確立部４１２は、ドアホン子機１０が呼出通知を送信してから所定のタイムアウト時間が経過するまでに、インターホン親機２０又はインターホン副親機５０と、ドアホン子機１０との間で呼が確立されず、かつ、通話装置３０から暫定応答を受信しなかった場合、全ての通話装置３０にそのことを通知し、ドアホン子機１０と通話装置３０との間の呼の切断処理を行うことが好ましい。
【００５８】
これらにより、映像音声転送装置４０がインターホン親機２０又はインターホン副親機５０と、ドアホン子機１０とからなる既存のインターホンシステムにおける使用状態を定期的に把握する処理を行わなくても、既存のインターホンシステム側の状態を知ることができる。また、必要に応じて呼の切断処理が行われるため、不要な通信の発生を抑制することができる。
【００５９】
図６は、図１に示すインターホン副親機５０のブロック図を示している。インターホン副親機５０は、制御部５１、マイク５２、スピーカ５３、通信部５４、表示部５５、及び操作部５６を備えている。
【００６０】
制御部５１は、例えばＣＰＵから構成され、インターホン副親機５０の全体制御を司る。マイク５２は、ユーザの音声を音声信号に変換し、制御部５１に渡す。スピーカ５３は、通信部５４により受信された音声信号を音声に変換して出力する。
【００６１】
通信部５４は、制御部５１から渡された種々のデータを送信するための通信信号を生成し、通信路Ｍ１に出力すると共に、自己宛に送信された通信信号を取り込んで制御部５１に渡す。
【００６２】
表示部５５は、例えば液晶表示パネルや有機ＥＬパネルにより構成され、通信部５４により受信された映像信号を表示する。操作部５６は、例えばテンキー含み、ユーザによる種々の操作指令を受け付ける。
【００６３】
図７は、実施の形態１によるインターホンシステムのシーケンス図を示している。ドアホン子機１０は、呼出者により呼出ボタンが押されると、インターホン親機２０に呼出通知を送信する（ステップＳ１）。以下の説明では、説明の便宜上、ドアホン子機１０−１が呼出通知を送信したものとする。
【００６４】
インターホン親機２０は、ドアホン子機１０から送信された呼出通知を受信すると、呼出要求を映像音声転送装置４０に送信する（ステップＳ２）。この場合、ドアホン子機１０は映像信号及び音声信号の送信を開始し、映像音声転送装置４０は、インターホン親機２０を介して映像信号及び音声信号を受信することになるが、通話装置３０に対しては、受信した映像信号及び音声信号を送信しない。
【００６５】
映像音声転送装置４０は、呼出要求を受信すると、呼出通知としてのＩＮＶＩＴＥ＋ＳＤＰ（Ｏ）を通話装置３０−１，３０−２に送信する（ステップＳ３）。ここで、ＩＮＶＩＴＥはＳＩＰのメッセージであり、ＳＤＰ（Session Description Protocol）はＩＮＶＩＴＥメッセージにセッションやメディア情報（映像や音声のコーデック情報）を併せて通知するためのプロトコルである。ＳＤＰ（Ｏ）は問い合わせる側、ＳＤＰ（Ａ）は回答側の情報となり、この問い合わせにより双方で合意が取られ、映像信号又は音声信号が呼確立後に送信されることになる。
【００６６】
通話装置３０−１，３０−２は、呼出通知を受信すると１００Ｔｒｙｉｎｇを映像音声転送装置４０に送信した後、暫定応答としての１８０Ｒｉｎｇｉｎｇ＋ＳＰＤ（Ａ）を映像音声転送装置４０に送信する（ステップＳ４）。
【００６７】
映像音声転送装置４０は、通話装置３０−１，３０−２のうち少なくともいずれか一方の通話装置３０から１８０Ｒｉｎｇｉｎｇ＋ＳＰＤ（Ａ）を受信すると、ドアホン子機１０からインターホン親機２０を介して送信されている映像信号及び音声信号の通話装置３０への送信を開始する（ステップＳ５）。ここで、ドアホン子機１０−１により送信される映像信号と音声信号とはＹＵＶ信号である。
【００６８】
映像音声転送装置４０は、ドアホン子機１０−１により取得された映像信号及び音声信号を、インターホン親機２０を介して受信すると、受信した映像信号及び音声信号をマルチキャストで通話装置３０−１，３０−２に転送する（ステップＳ６）。ここで、映像信号及び音声信号はＲＴＰ（Real-time Transport Protocol）により送信される。
【００６９】
通話装置３０−１，３０−２は、映像音声転送装置４０から送信された映像信号及び音声信号を受信すると表示部３５及びスピーカ３３に出力し、ドアホン子機１０−１に対して呼出操作がなされたことを通話装置３０のユーザに報知する（ステップＳ７）。
【００７０】
図８は、図７の続きのシーケンス図を示している。通話装置３０−１は、ユーザにより応答ボタンが押されると（ステップＳ８）、ドアホン子機１０−１との呼を確立するための確立要求としての２００ＯＫ（ＩＮＶＩＴＥ）＋ＳＤＰ（Ａ）を映像音声転送装置４０に送信する（ステップＳ９）。
【００７１】
映像音声転送装置４０は、２００ＯＫ（ＩＮＶＩＴＥ）＋ＳＤＰ（Ａ）を受信すると、通話装置３０−１とドアホン子機１０−１との呼を確立する処理を実行する（ステップＳ１０）。
【００７２】
具体的には、ステップＳ１０の処理は下記のようになる。まず、映像音声転送装置４０は、インターホン親機２０に子機通話開始要求を送信する。次に、インターホン親機２０は、通話開始許可を映像音声転送装置４０に送信する。
【００７３】
次に、映像音声転送装置４０は、ＡＣＫを通話装置３０−１に送信し、かつ、ＣＡＮＣＥＬを通話装置３０−２に送信する。
【００７４】
ＣＡＮＣＥＬを受信した通話装置３０−２は、２００ＯＫを映像音声転送装置４０に送信した後、４８７ＲｅｑｕｅｓｔＴｅｒｍｉｎａｔｅｄを映像音声転送装置４０に送信する。４８７ＲｅｑｕｅｓｔＴｅｍｉｎａｔｅｄを受信した映像音声転送装置４０は、ＡＣＫを通話装置３０−２に送信する。これにより、通話装置３０−２に対する呼が切断される。
【００７５】
一方、映像音声転送装置４０は、ｒｅ−ＩＮＶＩＴＥ＋ＳＤＰ（Ｏ）を通話装置３０−１に送信し、通話装置３０−１から２００ＯＫ＋ＳＤＰ（Ａ）を受信し、通話装置３０−１にＡＣＫを送信する。これにより、通話装置３０−１との呼が確立される。図７のステップＳ３，Ｓ４において、ＳＤＰによるセッションやメディア情報のやりとりは完了しているが、この段階でのやりとりは、映像信号及び音声信号をマルチキャストで送信するためのやりとりになる。一方、図８のステップＳ８では、通話装置３０が応答した場合、通話装置３０とドアホン子機１０との１対１通話となるので、セッション情報をマルチキャストからユニキャストに変更する必要があるため、ｒｅ−ＩＮＶＩＴＥ＋ＳＤＰ（Ｏ）が送信されている。
【００７６】
呼が確立されると、映像音声転送装置４０は、ドアホン子機１０−１からインターホン親機２０を介して送信された映像信号及び音声信号をユニキャストで通話装置３０−１に送信する（ステップＳ１１）。このように、通話装置３０−２に対する呼を切断し、通話装置３０−１に対してのみ呼を確立して、通話装置３０−１に映像信号及び音声信号をユニキャストで送信することで、通信トラフィックの不要な増大を抑制することができる。ここで、映像信号及び音声信号はＲＴＰ（Real-time Transport Protocol）により送信される。
【００７７】
図９は、図８の続きのシーケンス図を示している。通話装置３０−１は、ユーザにより通話を終了するために通話ボタンが押されると（ステップＳ１２）、通話の切断処理を実行する（ステップＳ１３）。具体的には、ステップＳ１３の処理は下記のようになる。まず、通話装置３０−１は、ＢＹＥを映像音声転送装置４０に送信する。次に、映像音声転送装置４０は、切断要求をインターホン親機２０に送信する。次に、インターホン親機２０は、ドアホン子機１０−１との切断処理が終了すると、子機切断完了通知を映像音声転送装置４０に送信する。次に、映像音声転送装置４０は、２００ＯＫを通話装置３０−１に送信する。
【００７８】
図１０は、通話装置３０−１がエラー応答を送信した場合のシーケンス図を示している。ステップＳ２１〜Ｓ２３は、図７のステップＳ１〜Ｓ３と同一である。ステップＳ２４において、通話装置３０−１は、映像音声転送装置４０にエラー応答を送信し（ステップＳ２４）、映像音声転送装置４０からＡＣＫを受信する。映像音声転送装置４０は、どの通話装置３０からも暫定応答を受信していないため、通話装置３０からの暫定応答の受信待ち状態となる（ステップＳ２５）。
【００７９】
次に、通話装置３０−２は、１００Ｔｒｙｉｎｇを送信した後、暫定応答としての１８０Ｒｉｎｇｉｎｇ＋ＳＤＰ（Ａ）を映像音声転送装置４０に送信する（ステップＳ２６）。
【００８０】
次に、映像音声転送装置４０は、図７のステップＳ５と同様に、インターホン親機２０にドアホン子機１０により取得された映像信号及び音声信号の送信を開始させる（ステップＳ２７）。ステップＳ２８，Ｓ２９は図７のステップＳ６，Ｓ７と同一である。
【００８１】
このように、通話装置３０−１からエラー応答が送信されても、残りの少なくとも１台の通話装置３０から暫定応答が送信された場合、残りの通話装置３０に対して映像信号及び音声信号がマルチキャストで送信されるため、一部の通話装置３０に異常が発生していても、残りの正常な通話装置３０に対して映像信号及び音声信号を送信することができる。
【００８２】
このように、本インターホンシステムによれば、ドアホン子機１０−１により呼出者による呼出操作が受け付けられると、映像音声転送装置４０は、ドアホン子機１０−１により取得された映像信号及び音声信号を通話装置３０にマルチキャストで転送する。そして、通話装置３０は映像信号及び音声信号を受信して、ユーザに呼出者により呼出操作が行われたことを報知する。そして、屋内のユーザが通話装置３０−１に応答操作を行うと、映像音声転送装置４０は、通話装置３０−１と、ドアホン子機１０−１との呼を確立する。
【００８３】
そのため、ユーザは、通話装置３０を用いて訪問者に応対するか否かを判断することができる。また、呼の確立前に、映像信号及び音声信号が通話装置３０から出力されるため、通話装置３０を用いた場合においても、従来のインターホンシステムと同様の操作感により、ユーザは呼出者と通話することができる。
【００８４】
（実施の形態２）
次に、実施の形態２によるインターホンシステムについて説明する。実施の形態２によるインターホンシステムは、インターホン親機２０又はインターホン副親機５０がドアホン子機１０の呼出に対して応答した場合、ドアホン子機１０と通話装置３０との呼を切断することを特徴とする。なお、本実施の形態において実施の形態１と同一のものは説明を省く。
【００８５】
図１１は、実施の形態２によるインターホンシステムのシーケンス図を示している。ステップＳ４１は、図７のステップＳ１〜Ｓ５，Ｓ７と同一であり、ステップＳ４２は、図７のステップＳ６と同一である。
【００８６】
ステップＳ４３において、ユーザにより通話ボタンが押されることで、インターホン親機２０又はインターホン副親機５０は、ドアホン子機１０からの呼び出しに対して応答すると、映像音声転送装置４０に、通話開始許可を送信する（ステップＳ４４）。
【００８７】
具体的には、ドアホン子機１０からの呼出に対し、インターホン副親機５０で応答する場合、インターホン親機２０は、インターホン副親機５０からの通話開始要求に対する通話開始許可を映像音声転送装置４０及び他のインターホン副親機５０にブロードキャストで送信する。このとき、通話開始許可のメッセージには、インターホン親機２０又はどのインターホン副親機５０がドアホン子機１０と通話するかを示す情報が含まれている。映像音声転送装置４０は、この通話開始許可のメッセージを受け、インターホン親機２０又はインターホン副親機５０がドアホン子機１０と通話を開始したと判断し、通話装置３０−１，３０−２との呼の切断処理を行う（ステップＳ４５）。ステップＳ４５の処理は、図８のステップＳ１０の通話装置３０−２に対する呼の切断処理と同一である。
【００８８】
このように、実施の形態２によるインターホンシステムによれば、既存のインターホンシステム側から呼の切断要求が行われると、それに応じてドアホン子機１０と通話装置３０との呼の切断処理が行われる。そのため、ユーザは、インターホン親機２０又はインターホン副親機５０を用いて呼の切断処理を行うことができ、操作性の高いインターホンシステムを提供することができる。
【００８９】
（実施の形態３）
実施の形態３によるインターホンシステムは、ユーザが通話装置３０から呼の切断要求を行うことを特徴とする。なお、本実施の形態において、実施の形態１，２と同一のものは説明を省略する。
【００９０】
本実施の形態において、図４に示す通話装置３０は、切断要求部３１４を更に備えている。切断要求部３１４は、操作部３６がユーザによる呼の切断操作を受け付けた場合、呼を切断するための切断要求を映像音声転送装置４０に送信する。
【００９１】
また、本実施の形態において、図５に示す映像音声転送装置４０の呼確立部４１２は、ある通話装置３０から送信された切断要求を受信した場合、ドアホン子機１０と通話装置３０との呼の切断処理を行う。
【００９２】
図１２は、実施の形態３によるインターホンシステムのシーケンス図を示している。ステップＳ５１は、図７のステップＳ１〜Ｓ５，Ｓ７と同一であり、ステップＳ５２は、図７のステップＳ６と同一である。
【００９３】
ステップＳ５３において、通話装置３０−１は、ドアホン子機１０と通話装置３０との呼を切断するための切断操作を受け付けると、切断要求を映像音声転送装置４０に送信する（ステップＳ５４）。
【００９４】
次に、映像音声転送装置４０は、インターホン親機２０に切断要求を送信し、かつ、通話装置３０−１に切断要求に対する応答を送信する。
【００９５】
次に、インターホン親機２０は、ドアホン子機１０への呼の切断処理が終了すると、映像音声転送装置４０に子機切断完了通知を送信する（ステップＳ５５）。
【００９６】
次に、映像音声転送装置４０は、通話装置３０−１，３０−２に対して呼の切断処理を行う（ステップＳ５６）。ステップＳ５６の処理の詳細は、図１１のステップＳ４５と同一である。
【００９７】
このように、実施の形態３によるインターホンシステムによれば、ある通話装置３０から呼を切断するために送信された切断要求をトリガとして、ドアホン子機１０と全ての通話装置３０との呼の切断処理が実行されるため、ユーザの意思に応じて速やかに呼を終了させることができ、不要な通信の発生を抑制することができる。
【００９８】
なお、本実施の形態におけるインターホンシステムは、ドアホン子機１０からの呼出があり、ユーザが呼出者を確認したところ、セールスマンであり、応対したくない場合や、呼出者が通話装置３０に表示される映像に呼出者が写っておらず、既存インターホンシステムのタイムアウトを待たずに、ユーザが呼を切断したい場合に有用となる。
【００９９】
（実施の形態４）
実施の形態４のインターホンシステムは、通話装置３０がユーザの監視操作に応じて、ドアホン子機１０に映像信号及び音声信号を送信させることを特徴とする。なお、本実施の形態において、実施の形態１〜３と同一のものは説明を省略する。
【０１００】
本実施の形態において、図４に示す通話装置３０は、監視要求部３１５を更に備えている。監視要求部３１５は、ユーザの監視操作に応じて、あるドアホン子機１０から映像信号及び音声信号を送信させるための監視要求を映像音声転送装置４０に送信する。
【０１０１】
また、本実施の形態において、図５に示す映像音声転送装置４０は、監視確立部４１３を更に備えている。
【０１０２】
監視確立部４１３は、ある通話装置３０から監視要求が送信された場合、当該通話装置３０と、該当するドアホン子機１０との間の呼を確立し、呼を確立したドアホン子機１０により取得された映像信号及び音声信号を、呼を確立した通話装置３０に送信する。
【０１０３】
また、監視確立部４１３は、ある通話装置３０から監視要求が送信された場合、インターホン親機２０又はインターホン副親機５０と、ドアホン子機１０との間で既に呼が確立されている場合、すなわち、既存のインターホンシステムが使用中である場合、全ての通話装置３０にそのことを通知し、通話装置３０とドアホン子機１０との呼の切断処理を行う。
【０１０４】
図１３は、実施の形態４によるインターホンシステムのシーケンス図を示している。ステップＳ６１において、通話装置３０−１は、ユーザによりモニタボタンが押されると、監視要求としてのＩＮＶＩＴＥ＋ＳＤＰ（Ｏ）を映像音声転送装置４０に送信する（ステップＳ６２）。
【０１０５】
次に、映像音声転送装置４０は、インターホン親機２０に子機通話開始要求を送信し、かつ、通話装置３０−１に１００Ｔｒｙｉｎｇ，１８０Ｒｉｎｇｉｎｇ＋ＳＤＰ（Ａ）を順次送信する（ステップＳ６３）。
【０１０６】
次に、映像音声転送装置４０は、インターホン親機２０から通話開始許可を受信すると、通話装置３０−１に２００ＯＫ＋ＳＤＰ（Ａ）を送信する（ステップＳ６４）。
【０１０７】
次に、映像音声転送装置４０は、通話装置３０−１からＡＣＫを受信すると、該当するドアホン子機１０により取得された映像信号及び音声信号をインターホン親機２０に送信させ、送信された映像信号及び音声信号を通話装置３０−１にユニキャストで送信する（ステップＳ６５）。
【０１０８】
このように、実施の形態４のインターホンシステムによれば、ユーザは、所望のドアホン子機１０により取得された映像信号及び音声信号を監視することができる。
【０１０９】
図１４は、実施の形態４のインターホンシステムにおいて、既存のインターホンシステムが使用中である場合のシーケンス図を示している。
【０１１０】
通話装置３０−１は、ユーザによりモニタボタンが押されると（ステップＳ７１）、監視要求としてのＩＮＶＩＴＥ＋ＳＤＰ（Ｏ）を映像音声転送装置４０に送信する（ステップＳ７２）。
【０１１１】
次に、映像音声転送装置４０は、既存のインターホンシステムが使用中であるため、そのことを通知するために４８６ＢｕｓｙＨｅｒｅを通話装置３０−１に送信する（ステップＳ７３）。
【０１１２】
次に、通話装置３０−１は、４８６ＢｕｓｙＨｅｒｅを受信すると、既存のインターホンシステムが使用中であることを認識し、ＡＣＫを映像音声転送装置４０に送信する（ステップＳ７４）。
【０１１３】
このように、実施の形態４のインターホンシステムによれば、既存のインターホンシステムが使用中である場合、そのことが通話装置３０に通知されるため、通話装置３０は、既存のインターホンシステムが使用中であることを認識することができる。この場合、通話装置３０は、映像信号及び音声信号を取得できないことをユーザに報知してもよい。
【０１１４】
なお、上記説明では、ドアホン子機１０により取得された映像信号及び音声信号を通話装置３０に出力させる態様を示したが、本発明はこれに限定されず、屋外に別途カメラ及びマイクを設置し、このカメラ及びマイクにより取得された映像信号及び音声信号を通話装置３０に送信してもよい。この場合、カメラ及びマイクを、図１に示すハブ６０に接続してもよいし、既存のインターホンシステム側に子機として接続してもよい。
【０１１５】
なお、上記説明においては、既存のインターホンシステムに映像音声転送装置４０及び通話装置３０が後付けされる態様を主に想定して説明したが、これに限定されず、初期設置の段階において、図１に示す全ての構成要素を含むインターホンシステムを設置してもよい。
【図面の簡単な説明】
【０１１６】
【図１】実施の形態１によるインターホンシステムの全体構成図を示している。
【図２】図１に示すドアホン子機のブロック図を示している。
【図３】図１に示すインターホン親機のブロック図である。
【図４】図１に示す通話装置のブロック図を示している。
【図５】図１に示す映像音声転送装置のブロック図を示している。
【図６】図１に示すインターホン副親機のブロック図を示している。
【図７】実施の形態１によるインターホンシステムのシーケンス図を示している。
【図８】図７の続きのシーケンス図を示している。
【図９】図８の続きのシーケンス図を示している。
【図１０】通話装置がエラー応答を送信した場合のシーケンス図を示している。
【図１１】実施の形態２によるインターホンシステムのシーケンス図を示している。
【図１２】実施の形態３によるインターホンシステムのシーケンス図を示している。
【図１３】実施の形態４によるインターホンシステムのシーケンス図を示している。
【図１４】実施の形態４のインターホンシステムにおいて、既存のインターホンシステムが使用中である場合のシーケンス図を示している。
【符号の説明】
【０１１７】
１０  ドアホン子機
２０  インターホン親機
３０  通話装置
４０  映像音声転送装置
６０  ハブ
Ｍ１  通信路
【図１】
2009303177.tif 000003
【図２】
2009303177.tif 000004
【図３】
2009303177.tif 000005
【図４】
2009303177.tif 000006
【図５】
2009303177.tif 000007
【図６】
2009303177.tif 000008
【図７】
2009303177.tif 000009
【図８】
2009303177.tif 000010
【図９】
2009303177.tif 000011
【図１０】
2009303177.tif 000012
【図１１】
2009303177.tif 000013
【図１２】
2009303177.tif 000014
【図１３】
2009303177.tif 000015
【図１４】
2009303177.tif 000016